(57)【要約】【課題】１つの情報通信装置だけでなく、複数の情報通信装置に対してもネットワーク情報を設定できながら、そのネットワーク情報の設定作業の簡易化を図ること。【解決手段】情報通信装置４に対して通信ケーブル５を介して接続されるコンピュータ端末２には、情報通信装置４に対して個別に割り当てられる個別情報を取得自在な個別情報取得部２１と、個別情報に対して、ネットワーク情報に関する複数の設定項目から選択される設定対象項目を項目分けする状態で表示させる設定項目表示部２２と、その設定項目表示部２２にて表示される設定対象項目に対して入力される入力情報と個別情報とを関連付けた設定ファイルを生成自在な設定ファイル生成部２３と、設定ファイル生成部２３にて生成される設定ファイルに含まれる入力情報を、個別情報から特定される書込対象の情報通信装置に書込自在な設定ファイル書込部２４とが備えられている。【選択図】図１
2018082240.tif 000002
【特許請求の範囲】
【請求項１】
情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部とが備えられているネットワーク情報の設定システム。
【請求項２】
前記設定対象項目は、少なくともＩＰアドレスが含まれている請求項１に記載のネットワーク情報の設定システム。
【請求項３】
前記設定ファイル生成部は、前記個別情報取得部にて取得される個別情報に対して前記設定対象項目を項目分けした入力前設定ファイルを生成し、その入力前設定ファイルを選択されるファイル形式にて出力自在であり、且つ、その入力前設定ファイルにおいて前記設定対象項目に対して前記入力情報が入力されると、その入力後の前記入力前設定ファイルを前記設定ファイルとして生成するように構成されている請求項１又は２に記載のネットワーク情報の設定システム。
【請求項４】
前記設定ファイルにおける特定の前記情報通信装置を呼出選択自在な呼出選択部と、
その呼出選択部にて呼出選択される呼出対象の情報通信装置を前記個別情報から特定して、その呼出対象の情報通信装置を他の情報通信装置と識別可能な状態に作動させる識別作動部とが備えられている請求項１〜３の何れか１項に記載のネットワーク情報の設定システム。
【請求項５】
前記呼出選択部は、複数の情報通信装置を順次呼出選択自在に構成されている請求項４に記載のネットワーク情報の設定システム。
【請求項６】
情報通信装置に対してネットワーク情報を設定するネットワーク情報の設定機能を実行させるためのプログラムであって、
前記情報通信装置に対して通信ケーブルを介してコンピュータ端末を接続させた場合に、
前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能との夫々の機能を実行させるためのプログラム。
【発明の詳細な説明】
【技術分野】
【０００１】
本発明は、情報通信装置に対してＩＰアドレス等のネットワーク情報を設定するネットワーク情報の設定システム、及び、ネットワーク情報の設定機能を実行させるためのプログラムに関する。
【背景技術】
【０００２】
上記のようなネットワーク情報の設定システムは、例えば、情報通信装置を使用する初期にＩＰアドレス等のネットワーク情報を設定するものであり、スイッチングハブ等の情報通信装置に対してネットワーク情報を設定するものが知られている（例えば、特許文献１参照。）。
【０００３】
この特許文献１に記載のシステムでは、スイッチングハブ等の情報通信装置とコンピュータ端末とを通信ケーブルにて接続し、コンピュータ端末でネットワーク情報設定用のプログラムを実行することで、ネットワーク情報を設定している。。そして、ネットワーク情報設定用のプログラムの実行により、ネットワーク管理者等の専門知識を有する者が、ネットワーク情報の各項目（機種名、機器名称、ＩＰアドレス、サブネットマスク、ゲートウェイアドレス）をキーボードにて入力して、ネットワーク情報を設定している。
【先行技術文献】
【特許文献】
【０００４】
【特許文献１】特許第５２１５９６９号
【発明の概要】
【発明が解決しようとする課題】
【０００５】
上記特許文献１に記載のシステムでは、ネットワーク情報を設定する際に、コンピュータ端末でネットワーク情報設定用のプログラムを実行することが記載されているものの、具体的にどのような処理を行うかが記載されていない。しかしながら、このような設定システムでは、ネットワーク情報の設定作業の簡素化を図ることが望まれている。
【０００６】
また、上記特許文献１に記載のシステムでは、１つの情報通信装置に対してネットワーク情報を設定することが記載されているが、例えば、工場等で複数の情報通信装置を出荷する場合や、建物内に複数の情報通信装置を設置する場合もあり、複数の情報通信装置に対してネットワーク情報を設定することも求められている。
【０００７】
この実情に鑑み、本発明の主たる課題は、１つの情報通信装置だけでなく、複数の情報通信装置に対してもネットワーク情報を設定できながら、そのネットワーク情報の設定作業の簡易化を図ることができるネットワーク情報の設定システム、及び、ネットワーク情報の設定機能を実行させるためのプログラムを提供する点にある。
【課題を解決するための手段】
【０００８】
本発明の第１特徴構成は、情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部とが備えられている点にある。
【０００９】
本構成によれば、設定項目表示部は、複数の設定項目の全てを表示させるのではなく、複数の設定項目から選択される設定対象項目を項目分けする状態で表示させるので、設定対象となる設定対象項目のみを表示させることができ、作業者等がどの設定項目が設定対象となっているかを容易に認識できる。そして、作業者等が設定対象項目に対して入力情報を入力すると、設定ファイル生成部は、その入力情報と個別情報とを関連付けた設定ファイルを生成することができ、設定ファイル書込部は、設定ファイル生成部にて生成される設定ファイルに含まれる入力情報を情報通信装置に書き込むことができる。このようにして、作業者等は、設定対象項目を容易に認識できながら、その設定対象項目に対して設定情報となる入力情報を入力するだけで、情報通信装置に対してネットワーク情報を設定することができ、ネットワーク情報の設定作業の簡易化を図ることができる。
【００１０】
しかも、複数の情報通信装置を通信ケーブルを介してコンピュータ端末に接続して、複数の情報通信装置に対してネットワーク情報を設定する場合でも、個別情報取得部が複数の情報通信装置の夫々における複数の個別情報を取得して、設定項目表示部が複数の個別情報の夫々に対して設定対象項目を項目分けする状態で表示させているので、作業者等は、複数の情報通信装置を識別しながら、設定対象項目に対して入力情報を入力することができる。また、設定ファイル書込部は、個別情報から書込対象の情報通信装置を特定しているので、書込対象の情報通信装置に対して適切に入力情報を書き込むことができ、複数の情報通信装置であっても、それら複数の情報通信装置の夫々に対してネットワーク情報を適切に設定することができる。
【００１１】
本発明の第２特徴構成は、前記設定対象項目は、少なくともＩＰアドレスが含まれている点にある。
【００１２】
本構成によれば、情報通信装置に対してＩＰアドレスを適切に設定することができるので、例えば、情報通信装置を用いた無線通信等が適切に行えるように、ネットワーク情報の設定を適切に且つ簡易に行うことができる。
【００１３】
本発明の第３特徴構成は、前記設定ファイル生成部は、前記個別情報取得部にて取得される個別情報に対して前記設定対象項目を項目分けした入力前設定ファイルを生成し、その入力前設定ファイルを選択されるファイル形式にて出力自在であり、且つ、その入力前設定ファイルにおいて前記設定対象項目に対して前記入力情報が入力されると、その入力後の前記入力前設定ファイルを前記設定ファイルとして生成するように構成されている点にある。
【００１４】
本構成によれば、設定ファイル生成部は、入力前設定ファイルを生成して選択されるファイル形式にて出力するので、入力前設定ファイルに対して入力情報を入力する際に、例えば、エクセル（登録商標）等の表計算ソフトウェアを用いて、簡易に入力情報を入力することができ、ネットワーク情報の設定作業の簡易化を図ることができる。
【００１５】
本発明の第４特徴構成は、前記設定ファイルにおける特定の前記情報通信装置を呼出選択自在な呼出選択部と、その呼出選択部にて呼出選択される呼出対象の情報通信装置を前記個別情報から特定して、その呼出対象の情報通信装置を他の情報通信装置と識別可能な状態に作動させる識別作動部とが備えられている点にある。
【００１６】
本構成によれば、識別作動部は、呼出対象の情報通信装置を他の情報通信装置と識別可能な状態に作動させるので、作業者等は、呼出選択部にて特定の情報通信装置を呼出選択することで、複数の情報通信装置のうち、その特定の情報通信装置（呼出対象の情報通信装置）がどの情報通信装置であるかを容易に識別することができる。これにより、例えば、ネットワーク情報を設定済の情報通信装置に対して何らかの作業を行う場合に、複数の情報通信装置が存在しても、どの情報通信装置に対して作業を行うかを容易に識別することができ、その作業の簡素化を図ることができる。
【００１７】
本発明の第６特徴構成は、情報通信装置に対してネットワーク情報を設定するネットワーク情報の設定機能を実行させるためのプログラムであって、
前記情報通信装置に対して通信ケーブルを介してコンピュータ端末を接続させた場合に、
前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能との夫々の機能を実行させる点にある。
【００１８】
このプログラムは、上述のネットワーク情報の設定システムの第１特徴構成においてコンピュータ端末に備えられる各部の機能を実行するためのプログラムとすることができる。よって、本発明の第１特徴構成と同様に、ネットワーク情報の設定作業の簡易化を図ることができるとともに、複数の情報通信装置であっても、それら複数の情報通信装置に対してネットワーク情報を適切に設定することができる。
【図面の簡単な説明】
【００１９】
【図１】ネットワーク情報の設定システムの概略構成を示す図
【図２】ネットワーク情報を設定する際のディスプレイにおける表示画面を示す図
【図３】ネットワーク情報を設定する際のディスプレイにおける表示画面を示す図
【図４】ネットワーク情報を設定する際のディスプレイにおける表示画面を示す図
【図５】ネットワーク情報を設定する際のディスプレイにおける表示画面を示す図
【図６】ネットワーク情報を設定する際のディスプレイにおける表示画面を示す図
【図７】ネットワーク情報を設定する際のディスプレイにおける表示画面を示す図
【図８】ネットワーク情報を設定する際のディスプレイにおける表示画面を示す図
【図９】ネットワーク情報を設定する際のディスプレイにおける表示画面を示す図
【図１０】ネットワーク情報を設定する際のディスプレイにおける表示画面を示す図
【図１１】ネットワーク情報を設定する際のディスプレイにおける表示画面を示す図
【図１２】ネットワーク情報を設定する際のディスプレイにおける表示画面を示す図
【図１３】ネットワーク情報を設定する際のディスプレイにおける表示画面を示す図
【発明を実施するための形態】
【００２０】
本発明に係るネットワーク情報の設定システム、及び、ネットワーク情報の設定機能を実行させるためのプログラムの実施形態を図面に基づいて説明する。
このネットワーク情報の設定システム１は、図１に示すように、情報通信装置４に対してＩＰアドレス等のネットワーク情報を設定するものであり、コンピュータ端末２と情報通信装置４とを通信ケーブル５にて接続することで、情報通信装置４に対してネットワーク情報を設定している。
【００２１】
コンピュータ端末２と情報通信装置４の間にはハブ３が備えられ、コンピュータ端末２とハブ３との間、及び、ハブ３と情報通信装置４との間の夫々が通信ケーブル５にて接続されている。これにより、１つのコンピュータ端末２に対して複数の情報通信装置４が通信ケーブル５にて接続可能となっており、コンピュータ端末２と複数の情報通信装置４とが通信ケーブル５を介して通信自在に構成されている。
【００２２】
コンピュータ端末２は、各種の情報を表示可能なディスプレイ２ａと、各種の情報を入力するためのキーボード２ｂやマウス２ｃ等の入力機器とが備えられている。これにより、ネットワーク情報を設定するための表示画面がディスプレイ２ａに表示され、作業者等がキーボード２ｂ及びマウス２ｃを用いて各種の情報を入力することで、複数の情報通信装置４に対してネットワーク情報を設定するようにしている。
【００２３】
情報通信装置４は、図示は省略するが、ＷＡＮ側の通信ケーブルが接続自在な接続口を備えるとともに、無線ＬＡＮ用のアンテナが内蔵されており、無線ＬＡＮのアクセスポイントとして機能するように構成されている。そして、情報通信装置４の前面部には、ＬＡＮ用モジュラープラグが着脱自在なＬＡＮ用接続口４１が備えられ、情報通信装置４は、無線ＬＡＮのアクセスポイントとして機能しながら、有線ＬＡＮの接続部としても機能可能に構成されている。ネットワーク情報を設定する場合には、ＬＡＮ用接続口４１に通信ケーブル５を接続させている。また、情報通信装置４の前面部には、例えば、情報通信装置４の電源の投入状態を示す電源インジケータ、ルーティング機能（無線ＬＡＮを利用した情報通信機能）の利用可能状態を示すＬＡＮインジケータ、及び、ネットワークのアクセス状態を示すアクセスインジケータ等の表示部４２が備えられている。
【００２４】
コンピュータ端末２には、情報通信装置４に対してネットワーク情報を設定するネットワーク情報の設定機能を実行させるためのプログラムがインストールされている。このプログラムは、ＵＳＢメモリ等に記憶されており、ＵＳＢメモリをコンピュータ端末２に接続してコンピュータ端末２にインストール可能となっている。
【００２５】
このプログラムは、情報通信装置４に対して通信ケーブル５を介してコンピュータ端末２を接続させた場合に、個別情報取得機能、設定項目表示機能、設定ファイル生成機能、設定ファイル書込機能の夫々の機能を実行させるためのプログラムとなっている。このプログラムをコンピュータ端末２にインストールすることで、コンピュータ端末２には、個別情報取得機能を実行する個別情報取得部２１と、設定項目表示機能を実行する設定項目表示部２２と、設定ファイル生成機能を実行する設定ファイル生成部２３と、設定ファイル書込機能を実行する設定ファイル書込部２４とが備えられている。
【００２６】
個別情報取得部２１は、通信ケーブル５を介してコンピュータ端末２と情報通信装置４との間で有線通信することで、情報通信装置４に対して個別に割り当てられる個別情報を、情報通信装置４から取得自在に構成されている。ここで、個別情報として、例えば、シリアルＮｏ．、ＭＡＣアドレスとすることができる。個別情報は、シリアルＮｏ．、ＭＡＣアドレスに限らず、その他の情報を適用することもできる。個別情報取得部２１は、コンピュータ端末２に対して通信ケーブル５にて１つの情報通信装置４が接続されていれば、その情報通信装置４から個別情報を取得し、コンピュータ端末２に対して通信ケーブル５にて複数の情報通信装置４が接続されていれば、それら複数の情報通信装置４から順次個別情報を取得するように構成されている。これにより、コンピュータ端末２に対して通信ケーブル５にて複数の情報通信装置４が接続されていても、複数の情報通信装置４の夫々を識別できる個別情報を取得することができる。
【００２７】
設定項目表示部２２は、図５に示すように、個別情報取得部２１にて取得される個別情報に対して、ネットワーク情報に関する複数の設定項目から選択される設定対象項目を項目分けする状態でディスプレイ２ａに表示させるように構成されている。設定項目としては、少なくともＩＰアドレスを含み、図３に示すように、無線２．４Ｇを利用するか否か（周波数帯域として２．４ＧＨｚを利用するか否か）、ネットワークモード、ＳＳＩＤ１〜ＳＳＩＤ４からいくつＳＳＩＤを設定するか、設定するＳＳＩＤをステルスとするか等のＳＳＩＤに関する項目等、ネットワーク情報に関する各種の項目が適用可能となっている。作業者等は、図３に示すように、該当する項目をチェックすることで、複数の設定項目から設定対象項目を選択可能となっている。そして、設定項目表示部２２は、図５に示すように、個別情報の夫々に対して、複数の設定項目から選択された設定対象項目のみを項目分けする状態で表示させるように構成されている。
【００２８】
ちなみに、図５に示すものでは、シリアルＮｏ．とＭＡＣアドレス（図中左から２つ目まで）が個別情報となっており、その個別情報は変更不能な固定値となっている。ＩＰアドレス、ＳＳＩＤ１、ＰＡＳＳ等（図中左から３つ目以降）が設定対象項目となっており、初期はデフォルト値が入力されており、そのデフォルト値が変更自在となっている。
【００２９】
設定ファイル生成部２３は、図５に示すように、設定項目表示部２２にてディスプレイ２ａに表示される設定対象項目に対して作業者等により入力される入力情報と、個別情報とを関連付けた設定ファイルを生成自在に構成されている。設定ファイルを生成するに当たり、設定ファイル生成部２３は、個別情報取得部２１にて取得される個別情報に対して設定対象項目を項目分けした入力前設定ファイルを生成し、その入力前設定ファイルを選択されるファイル形式にて出力自在であり、且つ、その入力前設定ファイルにおいて設定対象項目に対して入力情報が入力されると、その入力後の入力前設定ファイルを設定ファイルとして生成するように構成されている。
【００３０】
設定ファイル生成部２３は、まず、図５に示すように、個別情報取得部２１にて取得される個別情報に対して設定対象項目を項目分けした入力前設定ファイルを生成している。図５に示すものでは、シリアルＮｏ．とＭＡＣアドレス（図中左から２つ目まで）が個別情報となっており、ＩＰアドレス、ＳＳＩＤ１、ＰＡＳＳ等（図中左から３つ目以降）が設定対象項目となっている。そして、設定対象項目については、デフォルト値が入力されており、そのデフォルト値を必要に応じて変更する等により、各設定対象項目に対して入力情報を入力可能となっている。設定対象項目に対する入力情報としてデフォルト値を設定する場合は、そのままデフォルト値を維持し、設定対象項目に対する入力情報としてデフォルト値とは異なる値等の異なる情報を設定する場合は、デフォルト値を異なる値等にキーボード２ｂやマウス２ｃ等の入力機器を用いて変更入力している。このようにして、各設定対象項目に対して入力情報が入力されると、設定ファイル生成部２３は、入力情報が入力された後の入力前設定ファイルを設定ファイルとして生成する。
【００３１】
設定ファイル書込部２４は、通信ケーブル５を介してコンピュータ端末２と情報通信装置４との間で有線通信することで、設定ファイル生成部２３にて生成される設定ファイルに含まれる入力情報を、個別情報から特定される書込対象の情報通信装置４に書込自在に構成されている。設定ファイル書込部２４は、設定ファイル生成部２３にて生成された設定ファイルに含まれる各設定対象項目に対する入力情報を情報通信装置４に書き込むことで、ネットワーク情報に関する各設定対象項目を設定するように構成されている。
【００３２】
情報通信装置４に入力情報を書き込む場合に、コンピュータ端末２に対して複数の情報通信装置４が接続されていると、複数の情報通信装置４のうち、どの情報通信装置４が書込対象であるかを特定する必要がある。例えば、図５に示すように、設定ファイルでは、シリアルＮｏ．やＭＡＣアドレスの個別情報に対して、各設定対象項目に対する入力情報（ＩＰアドレス、ＳＳＩＤ等）が関連付けられているので、設定ファイル書込部２４は、個別情報から書込対象の情報通信装置４を特定することができ、その特定した書込対象の情報通信装置４に入力情報を書き込むようにしている。
【００３３】
以下、図２〜図９に基づいて、ネットワーク情報を設定するときの手順について説明する。図２〜図９は、ディスプレイ２ａに表示される表示画面を示している。
【００３４】
まず、通信ケーブル５にてコンピュータ端末２と情報通信装置４とを接続し、コンピュータ端末２にインストールされたネットワーク情報を設定するためのプログラムを実行させると、図示は省略するが、ディスプレイ２ａにＩＤとパスワードの入力画面が表示される。そこで、作業者等が、キーボード２ｂやマウス２ｃ等の入力機器を用いて、ＩＤとパスワードを入力する。
【００３５】
次に、図２に示すように、ネットワーク情報に関する設定対象項目について、どのような設定を行うかを選択するための表示画面がディスプレイ２ａに表示される。図２では、「前回設定内容を有効」を選択するボタン６１、「設定項目を選択」を選択するボタン６２、「全設定項目の表示」を選択するボタン６３が表示される。「前回設定内容を有効」を選択した場合には、前回設定された設定対象項目に対する設定情報を、そのまま今回の設定対象項目に対する設定情報として設定する。「設定項目を選択」を選択した場合には、ネットワーク情報に関する複数の設定項目から選択される設定対象項目のみ設定情報を設定する。「全設定項目の表示」を選択した場合には、ネットワーク情報に関する複数の設定項目の全てを設定対象項目として設定情報を設定する。
【００３６】
例えば、作業者等がキーボード２ｂやマウス２ｃ等の入力機器を用いて、「設定項目を選択」のボタン６２を選択操作して、「設定項目を選択」を選択した場合には、図３に示すように、複数の設定項目から設定対象項目を選択するための表示画面がディスプレイ２ａに表示される。作業者等は、キーボード２ｂやマウス２ｃ等の入力機器を用いて、該当する項目をチェックすることで、複数の設定項目から設定対象項目を選択している。
【００３７】
この設定対象項目の選択後、又は、図２の「全設定項目の表示」のボタン６３を選択した場合には、図４に示すように、シリアルＮｏ．やＭＡＣアドレスの個別情報、及び、設定対象項目を項目分けする表示画面がディスプレイ２ａに表示される。設定対象項目については、図３に示すように、設定対象項目が選択された場合には、複数の設定項目のうち、設定対象項目のみが表示され、図２において「全設定項目の表示」が選択された場合には、複数の設定項目の全てが表示される。図４に示す表示画面では、設定対象項目の表示領域６７と確認・呼出用の表示領域６８とを有している。
【００３８】
図４に示す表示画面において、「検出」ボタン６４を選択操作することで、個別情報取得部２１が個別情報を取得して、設定ファイル生成部２３が個別情報取得部２１にて取得される個別情報に対して設定対象項目を項目分けした入力前設定ファイルを生成し、図５に示すように、設定項目表示部２２が入力前設定ファイルをディスプレイ２ａに表示させる。このとき、図５の表示画面では、上述の如く、シリアルＮｏ．とＭＡＣアドレス（図中左から２つ目まで）が個別情報となっており、ＩＰアドレス、ＳＳＩＤ１、ＰＡＳＳ等（図中左から３つ目以降）が設定対象項目となっており、設定対象項目については、デフォルト値が入力されている。
【００３９】
図５に示す表示画面において、「全選択設定」ボタン６５を選択操作する（図中指マークにて示す）ことで、図６に示すように、設定ファイルを保存するか、又は、設定ファイルを書込かを選択するための表示画面がディスプレイ２ａに表示される。この図６に示す表示画面において「設定ファイル保存」ボタン６９を選択操作することで、図７に示す設定ファイルの保存ファイル名、保存ファイルの種類、保存場所等を選択するための表示画面７１がディスプレイ２ａに表示され、設定ファイル生成部２３が生成した入力前設定ファイルを出力して保存することができる。
【００４０】
この実施形態では、図５に示す入力前設定ファイルを出力して保存するファイル形式として、図７に示すｃｓｖ形式が選択されており、図８に示すように、入力前設定ファイルをｃｓｖ形式のファイルとして出力してディスプレイ２ａに表示できるようになっている。これにより、図８に示すｃｓｖ形式の入力前設定ファイルの表示画面７２において、作業者等は、キーボード２ｂやマウス２ｃ等の入力機器を用いて、ＩＰアドレス、ＳＳＩＤ１等の各設定対象項目に対して設定情報としての入力情報（例えば、デフォルト値と異なる情報、デフォルト値のそのままの値）を入力している。このとき、例えば、ＩＰアドレス等について、複数の情報通信装置４で連続する数値として入力する際等には、エクセル（登録商標）等の表計算ソフトウェアの機能を用いることで、ＩＰアドレス等を簡易に入力することができる。このように、作業者等が入力前設定ファイルに対して入力情報を入力して上書き保存すると、設定ファイル生成部２３は、その入力情報が入力された入力前設定ファイルを設定ファイルとして保存するようにしている。ここで、入力前設定ファイルを出力して保存するファイル形式については、ｃｓｖ形式に限らず、その他各種のファイル形式を適用することができる。
【００４１】
このように、設定ファイルを生成して保存した状態において、作業者等は、キーボード２ｂやマウス２ｃ等の入力機器を用いて、図９に示すように、保存された設定ファイルを選択するための表示画面７３をディスプレイ２ａに表示させ、書込ボタンを選択操作する。これにより、設定ファイル書込部２４は、設定ファイルに含まれる各設定対象項目に対する入力情報を複数の情報通信装置４の夫々に書き込み、複数の情報通信装置４の夫々に対してネットワーク情報に関する各設定対象項目が設定される。
【００４２】
この実施形態では、コンピュータ端末２に対して複数の情報通信装置４が接続されているので、設定ファイル書込部２４は、個別情報から書込対象の情報通信装置４を特定して、書込対象の情報通信装置４に入力情報を書き込むようにしている。そして、設定ファイル書込部２４は、複数の情報通信装置４を順次書込対象の情報通信装置４とすることで、複数の情報通信装置４に対して順次入力情報を書き込むようにしている。
【００４３】
このようにして、設定ファイル書込部２４が入力情報の書込を完了すると、図示は省略するが、ディスプレイ２ａに確認画面が表示されて、作業者等が入力情報の書込を確認することで、複数の情報通信装置４に対するネットワーク情報の設定が完了する。
【００４４】
また、このネットワーク情報の設定システム１では、ネットワーク情報に関する設定対象項目を設定できるだけでなく、設定済の情報通信装置４に対して何らかの作業を行う際に、その作業の簡素化を図るようにしている。この作業としては、例えば、シリアルＮｏ．、ＭＡＣアドレス等の個別情報、及び、ＩＰアドレス、ＳＳＩＤ１等の設定対象項目を印字した情報表示シールを貼り付ける貼付作業等、その他、各種の作業を適用可能である。
【００４５】
そこで、コンピュータ端末２には、図１に示すように、個別情報取得部２１、設定項目表示部２２、設定ファイル生成部２３、設定ファイル書込部２４に加えて、呼出選択部２５、識別作動部２６が備えられている。
【００４６】
呼出選択部２５は、設定ファイルにおける特定の情報通信装置４を呼出選択自在に構成されている。呼出選択部２５は、図１０に示すように、ディスプレイ２ａに表示される設定ファイルにおいて、確認・呼出用の表示領域６８の複数の「呼出」ボタン７４のうち、１つの「呼出」ボタン７４を選択操作する（図中指マーク（１）にて示す）ことで、複数の情報通信装置４から特定の情報通信装置４を呼出選択できるようにしている。例えば、図１０に示す表示画面では、項目Ｎｏ．１における「呼出」ボタン７４を選択操作しているので、項目Ｎｏ．１に対応する個別情報（シリアルＮｏ．、ＭＡＣアドレス）の情報通信装置４を呼び出すことができるようになっている。
【００４７】
識別作動部２６は、呼出選択部２５にて呼出選択される呼出対象の情報通信装置４を個別情報から特定して、その呼出対象の情報通信装置４を他の情報通信装置４と識別可能な状態に表示させるように構成されている。例えば、図１０に示すように、項目Ｎｏ．１に対応する情報通信装置４の「呼出」ボタン７４を選択操作して、項目Ｎｏ．１に対応する情報通信装置４ａ（図１参照）が呼出選択されると、識別作動部２６が、その呼出対象の情報通信装置４ａを個別情報（シリアルＮｏ．やＭＡＣアドレス）から特定している。そして、識別作動部２６は、通信ケーブル５を介してコンピュータ端末２と情報通信装置４ａとの間で有線通信することで、図１に示すように、呼出対象の情報通信装置４ａ（図中一番左側に位置する情報通信装置４ａ）における表示部４２を点灯させて、他の情報通信装置４と識別可能な状態に呼出対象の情報通信装置４ａを作動させている。
【００４８】
図１０に示す表示画面において、「呼出」ボタン７４を選択操作する（図中指マーク（１）にて示す）ことで、図１に示すように、それに対応する情報通信装置４ａ（図中一番左側に位置する情報通信装置４ａ）における表示部４２が点灯されるので、作業者等は、複数の情報通信装置４のうち、どの情報通信装置４が呼出対象の情報通信装置４ａであるかを容易に識別することができ、情報表示シールの貼付作業を簡易に行うことができる。このとき、選択操作された「呼出」ボタン７４は他のものと識別可能な状態に表示され（赤色に表示される）、作業者等がどの「呼出」ボタン７４を選択操作しているかが容易に識別できるようになっている。
【００４９】
そして、図１０に示す表示画面において、選択操作した「呼出」ボタン７４に対応する「確認」ボタン７５を選択操作する（図中指マーク（２）にて示す）ことで、作業者等が呼出対象の情報通信装置４ａ（図１参照）を確認したとして、情報通信装置４ａの表示部４２の点灯が停止される。
【００５０】
図１０において「確認」ボタン７５が選択操作されると、図１１に示すように、次の項目Ｎｏ．に対応する「呼出」ボタン７４が自動的に選択操作されることになり、その「呼出」ボタン７４は他のものと識別可能な状態に表示され（赤色に表示される）、確認済となった情報通信装置４に対応する「確認」ボタン７５ａが他のものと識別可能な状態に表示される（濃グレー色に表示される）。また、自動的に選択操作された「呼出」ボタン７４に対応する「確認」ボタン７５ｂが他のものと識別可能な状態で表示される（例えば、薄グレー色に表示される）。これにより、作業者等がどの「確認」ボタン７５を選択操作すればよいかを容易に識別できるようにしている。
【００５１】
このようにして、「確認」ボタン７５を選択操作する毎に、次の項目Ｎｏ．に対応する「呼出」ボタン７４が自動的に選択操作されることになり、呼出選択部２５は、複数の情報通信装置４を順次呼出選択自在に構成されている。識別作動部２６は、呼出選択部２５にて順次呼出選択される情報通信装置４を、順次他の情報通信装置４と識別可能な状態に作動させている。よって、複数の情報通信装置４がコンピュータ端末２に接続されていても、複数の情報通信装置４を順次識別可能に作動させて、情報表示シールを貼り付ける貼付作業を複数の情報通信装置４に対して順番に効率よく行うことができる。
【００５２】
そして、「呼出」ボタン７４の自動的な選択操作を停止したい場合には、「呼出」ボタン７４が他のものと識別可能な状態に表示されている（赤色に表示されている）状態において、その「呼出」ボタン７４を選択操作することで、次の項目Ｎｏ．に対応する「呼出」ボタン７４の自動的な選択操作を停止することができるようになっている。
【００５３】
ネットワーク情報を設定するときの手順として、図５に示す表示画面において「全選択設定」ボタン６５を選択操作して、複数の情報通信装置４の全てに対してネットワーク情報を設定する場合を説明したが、図１２に示すように、「個別選択設定」ボタン６６を選択操作することで、複数の情報通信装置４のうちから選択された一部の情報通信装置４に対してのみネットワーク情報を設定することもできる。
【００５４】
図１１に示す表示画面において、選択の欄にチェックを入れることで、ネットワーク情報を設定する情報通信装置４を選択する（図中指マーク（１）にて示す）。そして、「個別選択設定」ボタン６６を選択操作する（図中指マーク（２）にて示す）ことで、図１３に示すように、選択した情報通信装置４についてのみ、シリアルＮｏ．やＭＡＣアドレスの個別情報、及び、設定対象項目を項目分けする表示画面がディスプレイ２ａに表示される。これにより、上述の手順と同様に、各設定対象項目に対して入力情報を入力することで、設定ファイルを生成することができ、その生成された設定ファイルを用いて、選択された一部の情報通信装置４に対して、各設定対象項目の入力情報を書き込むことができるようになっている。
【００５５】
図１３では、図１２に示す表示画面に戻るための「戻る」ボタン７６、複数の情報通信装置４のうち、ネットワーク情報を設定する情報通信装置４としてどの情報通信装置４を設定したかの情報を保存するための「保存」ボタン７７、設定ファイルを保存するための「設定ファイル保存」ボタン７８、設定ファイルにおける入力情報を情報通信装置４に書き込むための「設定ファイル書込」ボタン７９、表示画面を印刷するための「印刷」ボタン８０の夫々が表示されている。
【００５６】
〔別実施形態〕
（１）上記実施形態では、ネットワーク情報を設定するに当たり、図２に示すように、「前回設定内容を有効」と「設定項目を選択」と「全設定項目の表示」とを選択できるようにしているが、「前回設定内容を有効」や「全設定項目の表示」を省略することもでき、どのようにネットワーク情報を設定するか適宜変更可能である。
【００５７】
（２）上記実施形態において、図２〜図１３に示す表示画面は一例を示すものであり、例えば、図４及び図５等において、印刷ボタンを追加して表示させることもでき、どのような機能を表示させるかは適宜変更可能である。
【符号の説明】
【００５８】
１          ネットワーク情報の設定システム
２          コンピュータ端末
４          情報通信装置
５          通信ケーブル
２１        個別情報取得部
２２        設定項目表示部
２３        設定ファイル生成部
２４        設定ファイル書込部
２５        呼出選択部
２６        識別作動部
【図１】
2018082240.tif 000003
【図２】
2018082240.tif 000004
【図３】
2018082240.tif 000005
【図４】
2018082240.tif 000006
【図５】
2018082240.tif 000007
【図６】
2018082240.tif 000008
【図７】
2018082240.tif 000009
【図８】
2018082240.tif 000010
【図９】
2018082240.tif 000011
【図１０】
2018082240.tif 000012
【図１１】
2018082240.tif 000013
【図１２】
2018082240.tif 000014
【図１３】
2018082240.tif 000015
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部と、
前記設定ファイルにおいて、ネットワーク情報が設定済の前記情報通信装置のうちから、特定の前記情報通信装置を呼出選択自在な呼出選択部と、
その呼出選択部にて呼出選択される呼出対象の情報通信装置を前記個別情報から特定して、その呼出対象の情報通信装置を他の情報通信装置と識別可能な状態に作動させる識別作動部とが備えられているネットワーク情報の設定システム。
【請求項２】
前記呼出選択部は、複数の前記情報通信装置の夫々に対応する呼出ボタンを表示させ、複数の呼出ボタンのうち、特定の呼出ボタンを選択操作することで、特定の前記情報通信装置を呼出選択し、且つ、選択操作された特定の呼出ボタンを他の呼出ボタンと識別可能な状態で表示させるように構成されている請求項１に記載のネットワーク情報の設定システム。
【請求項３】
前記設定対象項目は、少なくともＩＰアドレスが含まれている請求項１又は２に記載のネットワーク情報の設定システム。
【請求項４】
前記設定ファイル生成部は、前記個別情報取得部にて取得される個別情報に対して前記設定対象項目を項目分けした入力前設定ファイルを生成し、その入力前設定ファイルを選択されるファイル形式にて出力自在であり、且つ、その入力前設定ファイルにおいて前記設定対象項目に対して前記入力情報が入力されると、その入力後の前記入力前設定ファイルを前記設定ファイルとして生成するように構成されている請求項１〜３の何れか１項に記載のネットワーク情報の設定システム。
【請求項５】
前記呼出選択部は、複数の情報通信装置を順次呼出選択自在に構成されている請求項１〜４の何れか１項に記載のネットワーク情報の設定システム。
【請求項６】
情報通信装置に対してネットワーク情報を設定するネットワーク情報の設定機能を実行させるためのプログラムであって、
前記情報通信装置に対して通信ケーブルを介してコンピュータ端末を接続させた場合に、
前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能と、
前記設定ファイルにおいて、ネットワーク情報が設定済の前記情報通信装置のうちから、特定の前記情報通信装置を呼出選択自在な呼出選択機能と、
その呼出選択機能にて呼出選択される呼出対象の情報通信装置を前記個別情報から特定して、その呼出対象の情報通信装置を他の情報通信装置と識別可能な状態に作動させる識別作動機能との夫々の機能を実行させるためのプログラム。
【手続補正２】
【補正対象書類名】明細書
【補正対象項目名】０００８
【補正方法】変更
【補正の内容】
【０００８】
本発明の第１特徴構成は、情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部と、
前記設定ファイルにおいて、ネットワーク情報が設定済の前記情報通信装置のうちから、特定の前記情報通信装置を呼出選択自在な呼出選択部と、
その呼出選択部にて呼出選択される呼出対象の情報通信装置を前記個別情報から特定して、その呼出対象の情報通信装置を他の情報通信装置と識別可能な状態に作動させる識別作動部とが備えられている点にある。
【手続補正３】
【補正対象書類名】明細書
【補正対象項目名】０００９
【補正方法】変更
【補正の内容】
【０００９】
本構成によれば、設定項目表示部は、複数の設定項目の全てを表示させるのではなく、複数の設定項目から選択される設定対象項目を項目分けする状態で表示させるので、設定対象となる設定対象項目のみを表示させることができ、作業者等がどの設定項目が設定対象となっているかを容易に認識できる。そして、作業者等が設定対象項目に対して入力情報を入力すると、設定ファイル生成部は、その入力情報と個別情報とを関連付けた設定ファイルを生成することができ、設定ファイル書込部は、設定ファイル生成部にて生成される設定ファイルに含まれる入力情報を情報通信装置に書き込むことができる。このようにして、作業者等は、設定対象項目を容易に認識できながら、その設定対象項目に対して設定情報となる入力情報を入力するだけで、情報通信装置に対してネットワーク情報を設定することができ、ネットワーク情報の設定作業の簡易化を図ることができる。
しかも、複数の情報通信装置を通信ケーブルを介してコンピュータ端末に接続して、複数の情報通信装置に対してネットワーク情報を設定する場合でも、個別情報取得部が複数の情報通信装置の夫々における複数の個別情報を取得して、設定項目表示部が複数の個別情報の夫々に対して設定対象項目を項目分けする状態で表示させているので、作業者等は、複数の情報通信装置を識別しながら、設定対象項目に対して入力情報を入力することができる。また、設定ファイル書込部は、個別情報から書込対象の情報通信装置を特定しているので、書込対象の情報通信装置に対して適切に入力情報を書き込むことができ、複数の情報通信装置であっても、それら複数の情報通信装置の夫々に対してネットワーク情報を適切に設定することができる。
更に、識別作動部は、呼出対象の情報通信装置を他の情報通信装置と識別可能な状態に作動させるので、作業者等は、呼出選択部にて特定の情報通信装置を呼出選択することで、複数の情報通信装置のうち、その特定の情報通信装置（呼出対象の情報通信装置）がどの情報通信装置であるかを容易に識別することができる。これにより、例えば、ネットワーク情報を設定済の情報通信装置に対して何らかの作業を行う場合に、複数の情報通信装置が存在しても、どの情報通信装置に対して作業を行うかを容易に識別することができ、その作業の簡素化を図ることができる。
【手続補正４】
【補正対象書類名】明細書
【補正対象項目名】００１０
【補正方法】変更
【補正の内容】
【００１０】
本発明の第２特徴構成は、前記呼出選択部は、複数の前記情報通信装置の夫々に対応する呼出ボタンを表示させ、複数の呼出ボタンのうち、特定の呼出ボタンを選択操作することで、特定の前記情報通信装置を呼出選択し、且つ、選択操作された特定の呼出ボタンを他の呼出ボタンと識別可能な状態で表示させるように構成されている点にある。
【手続補正５】
【補正対象書類名】明細書
【補正対象項目名】００１１
【補正方法】変更
【補正の内容】
【００１１】
本発明の第３特徴構成は、前記設定対象項目は、少なくともＩＰアドレスが含まれている点にある。
【手続補正６】
【補正対象書類名】明細書
【補正対象項目名】００１３
【補正方法】変更
【補正の内容】
【００１３】
本発明の第４特徴構成は、前記設定ファイル生成部は、前記個別情報取得部にて取得される個別情報に対して前記設定対象項目を項目分けした入力前設定ファイルを生成し、その入力前設定ファイルを選択されるファイル形式にて出力自在であり、且つ、その入力前設定ファイルにおいて前記設定対象項目に対して前記入力情報が入力されると、その入力後の前記入力前設定ファイルを前記設定ファイルとして生成するように構成されている点にある。
【手続補正７】
【補正対象書類名】明細書
【補正対象項目名】００１５
【補正方法】変更
【補正の内容】
【００１５】
本発明の第５特徴構成は、前記呼出選択部は、複数の情報通信装置を順次呼出選択自在に構成されている点にある。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明の第６特徴構成は、情報通信装置に対してネットワーク情報を設定するネットワーク情報の設定機能を実行させるためのプログラムであって、
前記情報通信装置に対して通信ケーブルを介してコンピュータ端末を接続させた場合に、前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能と、
前記設定ファイルにおいて、ネットワーク情報が設定済の前記情報通信装置のうちから、特定の前記情報通信装置を呼出選択自在な呼出選択機能と、
その呼出選択機能にて呼出選択される呼出対象の情報通信装置を前記個別情報から特定して、その呼出対象の情報通信装置を他の情報通信装置と識別可能な状態に作動させる識別作動機能との夫々の機能を実行させる点にある。
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部と、
前記設定ファイルにおいて、ネットワーク情報が設定済の前記情報通信装置のうちから、特定の前記情報通信装置を呼出選択自在な呼出選択部と、
その呼出選択部にて呼出選択される呼出対象の情報通信装置を前記個別情報から特定して、その呼出対象の情報通信装置を他の情報通信装置と識別可能な状態に作動させる識別作動部とが備えられ、
前記呼出選択部は、複数の前記情報通信装置の夫々に対応する呼出ボタンを表示させ、複数の呼出ボタンのうち、特定の呼出ボタンを選択操作することで、特定の前記情報通信装置を呼出選択し、且つ、選択操作された特定の呼出ボタンを他の呼出ボタンと識別可能な状態で表示させるように構成されているネットワーク情報の設定システム。
【請求項２】
情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部と、
前記設定ファイルにおいて、ネットワーク情報が設定済の前記情報通信装置のうちから、特定の前記情報通信装置を呼出選択自在な呼出選択部と、
その呼出選択部にて呼出選択される呼出対象の情報通信装置を前記個別情報から特定して、その呼出対象の情報通信装置を他の情報通信装置と識別可能な状態に作動させる識別作動部とが備えられ、
前記呼出選択部は、人為操作されることで、現在呼出対象となっている情報通信装置の確認が行われたとして、ネットワーク情報が設定済の次の前記情報通信装置を呼出対象とする確認部を有しているネットワーク情報の設定システム。
【請求項３】
前記設定ファイル生成部は、前記個別情報取得部にて取得される個別情報に対して前記設定対象項目を項目分けした入力前設定ファイルを生成し、その入力前設定ファイルを選択されるファイル形式にて出力自在であり、且つ、その入力前設定ファイルにおいて前記設定対象項目に対して前記入力情報が入力されると、その入力後の前記入力前設定ファイルを前記設定ファイルとして生成するように構成されている請求項１又は２に記載のネットワーク情報の設定システム。
【請求項４】
前記呼出選択部は、複数の情報通信装置を順次呼出選択自在に構成されている請求項１〜３の何れか１項に記載のネットワーク情報の設定システム。
【請求項５】
情報通信装置に対してネットワーク情報を設定するネットワーク情報の設定機能を実行させるためのプログラムであって、
前記情報通信装置に対して通信ケーブルを介してコンピュータ端末を接続させた場合に、
前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能と、
前記設定ファイルにおいて、ネットワーク情報が設定済の前記情報通信装置のうちから、特定の前記情報通信装置を呼出選択自在な呼出選択機能と、
その呼出選択機能にて呼出選択される呼出対象の情報通信装置を前記個別情報から特定して、その呼出対象の情報通信装置を他の情報通信装置と識別可能な状態に作動させる識別作動機能との夫々の機能を実行させ、
前記呼出選択部は、複数の前記情報通信装置の夫々に対応する呼出ボタンを表示させ、複数の呼出ボタンのうち、特定の呼出ボタンを選択操作することで、特定の前記情報通信装置を呼出選択し、且つ、選択操作された特定の呼出ボタンを他の呼出ボタンと識別可能な状態で表示させるように構成されているプログラム。
【請求項６】
情報通信装置に対してネットワーク情報を設定するネットワーク情報の設定機能を実行させるためのプログラムであって、
前記情報通信装置に対して通信ケーブルを介してコンピュータ端末を接続させた場合に、
前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能と、
前記設定ファイルにおいて、ネットワーク情報が設定済の前記情報通信装置のうちから、特定の前記情報通信装置を呼出選択自在な呼出選択機能と、
その呼出選択機能にて呼出選択される呼出対象の情報通信装置を前記個別情報から特定して、その呼出対象の情報通信装置を他の情報通信装置と識別可能な状態に作動させる識別作動機能との夫々の機能を実行させ、
前記呼出選択機能は、人為操作されることで、現在呼出対象となっている情報通信装置の確認が行われたとして、ネットワーク情報が設定済の次の前記情報通信装置を呼出対象とする確認機能を有しているプログラム。
【手続補正２】
【補正対象書類名】明細書
【補正対象項目名】０００８
【補正方法】変更
【補正の内容】
【０００８】
本発明の第１特徴構成は、情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部と、
前記設定ファイルにおいて、ネットワーク情報が設定済の前記情報通信装置のうちから、特定の前記情報通信装置を呼出選択自在な呼出選択部と、
その呼出選択部にて呼出選択される呼出対象の情報通信装置を前記個別情報から特定して、その呼出対象の情報通信装置を他の情報通信装置と識別可能な状態に作動させる識別作動部とが備えられ、
前記呼出選択部は、複数の前記情報通信装置の夫々に対応する呼出ボタンを表示させ、複数の呼出ボタンのうち、特定の呼出ボタンを選択操作することで、特定の前記情報通信装置を呼出選択し、且つ、選択操作された特定の呼出ボタンを他の呼出ボタンと識別可能な状態で表示させるように構成されている点にある。
【手続補正３】
【補正対象書類名】明細書
【補正対象項目名】００１０
【補正方法】変更
【補正の内容】
【００１０】
本発明の第２特徴構成は、情報通信装置に対してネットワーク情報を設定するネットワーク情報の設定システムであって、
前記情報通信装置に対して通信ケーブルを介して接続されるコンピュータ端末には、
前記情報通信装置に対して個別に割り当てられる個別情報を、前記情報通信装置から取得自在な個別情報取得部と、
前記個別情報取得部にて取得される個別情報に対して、前記ネットワーク情報に関する複数の設定項目から選択される設定対象項目を項目分けする状態で表示させる設定項目表示部と、
その設定項目表示部にて表示される前記設定対象項目に対して入力される入力情報と前記個別情報とを関連付けた設定ファイルを生成自在な設定ファイル生成部と、
前記設定ファイル生成部にて生成される設定ファイルに含まれる前記入力情報を、前記個別情報から特定される書込対象の情報通信装置に書込自在な設定ファイル書込部と、
前記設定ファイルにおいて、ネットワーク情報が設定済の前記情報通信装置のうちから、特定の前記情報通信装置を呼出選択自在な呼出選択部と、
その呼出選択部にて呼出選択される呼出対象の情報通信装置を前記個別情報から特定して、その呼出対象の情報通信装置を他の情報通信装置と識別可能な状態に作動させる識別作動部とが備えられ、
前記呼出選択部は、人為操作されることで、現在呼出対象となっている情報通信装置の確認が行われたとして、ネットワーク情報が設定済の次の前記情報通信装置を呼出対象とする確認部を有している点にある。
【手続補正４】
【補正対象書類名】明細書
【補正対象項目名】００１１
【補正方法】変更
【補正の内容】
【００１１】
本発明では、前記設定対象項目は、少なくともＩＰアドレスが含まれていると好ましい。
【手続補正５】
【補正対象書類名】明細書
【補正対象項目名】００１３
【補正方法】変更
【補正の内容】
【００１３】
本発明の第３特徴構成は、前記設定ファイル生成部は、前記個別情報取得部にて取得される個別情報に対して前記設定対象項目を項目分けした入力前設定ファイルを生成し、その入力前設定ファイルを選択されるファイル形式にて出力自在であり、且つ、その入力前設定ファイルにおいて前記設定対象項目に対して前記入力情報が入力されると、その入力後の前記入力前設定ファイルを前記設定ファイルとして生成するように構成されている点にある。
【手続補正６】
【補正対象書類名】明細書
【補正対象項目名】００１５
【補正方法】変更
【補正の内容】
【００１５】
本発明の第４特徴構成は、前記呼出選択部は、複数の情報通信装置を順次呼出選択自在に構成されている点にある。
【手続補正７】
【補正対象書類名】明細書
【補正対象項目名】００１７
【補正方法】変更
【補正の内容】
【００１７】
本発明の第５特徴構成は、情報通信装置に対してネットワーク情報を設定するネットワーク情報の設定機能を実行させるためのプログラムであって、
前記情報通信装置に対して通信ケーブルを介してコンピュータ端末を接続させた場合に、前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能と、
前記設定ファイルにおいて、ネットワーク情報が設定済の前記情報通信装置のうちから、特定の前記情報通信装置を呼出選択自在な呼出選択機能と、
その呼出選択機能にて呼出選択される呼出対象の情報通信装置を前記個別情報から特定して、その呼出対象の情報通信装置を他の情報通信装置と識別可能な状態に作動させる識別作動機能との夫々の機能を実行させ、
前記呼出選択機能は、複数の前記情報通信装置の夫々に対応する呼出ボタンを表示させ、複数の呼出ボタンのうち、特定の呼出ボタンを選択操作することで、特定の前記情報通信装置を呼出選択し、且つ、選択操作された特定の呼出ボタンを他の呼出ボタンと識別可能な状態で表示させるように構成されている点にある。
【手続補正８】
【補正対象書類名】明細書
【補正対象項目名】００１８
【補正方法】変更
【補正の内容】
【００１８】
このプログラムは、上述のネットワーク情報の設定システムの第１特徴構成においてコンピュータ端末に備えられる各部の機能を実行するためのプログラムとすることができる。よって、本発明の第１特徴構成と同様に、ネットワーク情報の設定作業の簡易化を図ることができるとともに、複数の情報通信装置であっても、それら複数の情報通信装置に対してネットワーク情報を適切に設定することができる。
本発明の第６特徴構成は、情報通信装置に対してネットワーク情報を設定するネットワーク情報の設定機能を実行させるためのプログラムであって、
前記情報通信装置に対して通信ケーブルを介してコンピュータ端末を接続させた場合に、
前記情報通信装置に対して個別に割り当てられる個別情報を、前記情報通信装置から取得する個別情報取得機能と、
前記個別情報取得機能にて取得される個別情報に対して、前記ネットワーク情報に関する複数の設定項目から選択される設定対象項目を項目分けする状態で表示させる設定項目表示機能と、
その設定項目表示機能にて表示される前記設定対象項目に対して入力される入力情報と前記個別情報とを関連付けた設定ファイルを生成自在な設定ファイル生成機能と、
前記設定ファイル生成機能にて生成される設定ファイルに含まれる前記入力情報を、前記個別情報から特定される書込対象の情報通信装置に書込自在な設定ファイル書込機能と、
前記設定ファイルにおいて、ネットワーク情報が設定済の前記情報通信装置のうちから、特定の前記情報通信装置を呼出選択自在な呼出選択機能と、
その呼出選択機能にて呼出選択される呼出対象の情報通信装置を前記個別情報から特定して、その呼出対象の情報通信装置を他の情報通信装置と識別可能な状態に作動させる識別作動機能との夫々の機能を実行させ、
前記呼出選択機能は、人為操作されることで、現在呼出対象となっている情報通信装置の確認が行われたとして、ネットワーク情報が設定済の次の前記情報通信装置を呼出対象とする確認機能を有している点にある。
【手続補正９】
【補正対象書類名】明細書
【補正対象項目名】００５１
【補正方法】変更
【補正の内容】
【００５１】
このようにして、「確認」ボタン７５（確認部に相当する）を選択操作する毎に、次の項目Ｎｏ．に対応する「呼出」ボタン７４が自動的に選択操作されることになり、呼出選択部２５は、複数の情報通信装置４を順次呼出選択自在に構成されている。識別作動部２６は、呼出選択部２５にて順次呼出選択される情報通信装置４を、順次他の情報通信装置４と識別可能な状態に作動させている。よって、複数の情報通信装置４がコンピュータ端末２に接続されていても、複数の情報通信装置４を順次識別可能に作動させて、情報表示シールを貼り付ける貼付作業を複数の情報通信装置４に対して順番に効率よく行うことができる。